(57)【要約】液体組成物を静電的に帯電させ、供給部から散布地点へと分配するように構成及び配置された静電噴霧装置であって、液体組成物の供給部を収容するように構成されたリザーバと、ノズル（２５０）と、前記リザーバと前記ノズルとの間に配置された流路と、一部が前記リザーバと前記ノズルとの間に配置され、前記高圧電源供給部に電気的に接続された高圧電極（４３０）と、帯電位置（３１０）と前記ノズル（２８０）との間に配置され、長さｄ（mm）がＶｏ／ｄ＜４０００なる関係式によって決定され、ここでＶｏが前記高圧電源供給部の出力電圧（ｖ）であるノズル通路（３００）とを具え、前記ノズル通路（３００）は前記ノズル（２８０）に隣接して配置された排出路を具え、当該排出路は約０．１mm〜約１mmの直径を有し、点または約０mm〜約５mmの長さを有し、主通路が前記排出路と前記帯電位置（３１０）との間に配置され、この主通路は前記排出路よりも大きい約５mmまでの直径を有し、まっすぐまたは約０度〜約１０度の角度で前記帯電位置に向かって外側にテーパとなっており、及び／または、前記高圧電極（４３０）は前記ノズル通路内の液体組成物の流れを促進させアンテナを具え、このアンテナは前記ノズル通路のほぼ中心から突き出ており、基部の直径が約０．５mm〜約７mmで、高さが約０．５mm〜約７mmであることを特徴とする静電噴霧装置を開示する。
2005518278.tif 000002
【特許請求の範囲】
【請求項１】
液体組成物を静電的に帯電させ、供給部から散布地点へと分配するように構成及び配置された静電噴霧装置であって、
液体組成物の供給部を収容するように構成されたリザーバと、
前記散布地点に配置されて液体組成物を散布させるためのノズルと、
前記リザーバと前記ノズルとの間に配置され、液体組成物が内部を移動するときに当該液体組成物の静電気帯電を可能にする流路と、
電荷を与える電源と、
この前記電源に対して電気的に接続されている高圧電源供給部と、
一部が前記リザーバと前記ノズルとの間に配置され、前記高圧電源供給部に電気的に接続され、帯電位置において前記流路内の液体組成物を静電的に帯電させる高圧電極と、
前記帯電位置と前記ノズルとの間に配置され、長さｄ（mm）がＶｏ／ｄ＜４０００なる関係式によって決定され、ここでＶｏが前記高圧電源供給部の出力電圧（ｖ）であるノズル通路と
を具え、前記ノズル通路は前記ノズルに隣接して配置された排出路を具え、当該排出路は約０．１mm〜約１mmの直径を有し、点または約０mm〜約５mmの長さを有し、主通路が前記排出路と前記帯電位置との間に配置され、この主通路は前記排出路よりも大きい約５mmまでの直径を有し、まっすぐまたは約０度〜約１０度の角度で前記帯電位置に向かって外側にテーパとなっていることを特徴とする静電噴霧装置。
【請求項２】
液体組成物を静電的に帯電させ、供給部から散布地点へと分配するように構成及び配置された静電噴霧装置であって、
液体組成物の供給部を収容するように構成されたリザーバと、
前記散布地点に配置されて液体組成物を散布させるためのノズルと、
前記リザーバと前記ノズルとの間に配置され、液体組成物が内部を移動するときに当該液体組成物の静電的帯電を可能にする流路と、
電荷を与える電源と、
この前記電源に対して電気的に接続されている高圧電源供給部と、
一部が前記リザーバと前記ノズルとの間に配置され、前記高圧電源供給部に電気的に接続され、帯電位置において前記流路内の液体組成物を静電的に帯電させる高圧電極と、
前記帯電位置と前記ノズルとの間に配置され、長さｄ（mm）がＶｏ／ｄ＜４０００なる関係式によって決定され、ここでＶｏが前記高圧電源供給部の出力電圧（ｖ）であるノズル通路と
を具え、前記高圧電極は前記ノズル通路内の液体組成物の流れを促進させるアンテナを具え、このアンテナは前記ノズル通路のほぼ中心から突き出ており、基部の直径が約０．５mm〜約７mmで、高さが約０．５mm〜約７mmであることを特徴とする静電噴霧装置。
【請求項３】
前記高圧電極は前記ノズル通路内の液体組成物の流れを促進させるアンテナを具え、このアンテナは前記ノズル通路のほぼ中心から突き出ており、基部の直径が約０．５mm〜約７mmで、高さが約０．５mm〜約７mmである請求項１に記載の静電噴霧装置。
【請求項４】
前記排出路が約０．５mm〜約３mmの長さを有し、前記主通路が約３度〜約７度の角度で外側にテーパとなっている請求項１または請求項３に記載の静電噴霧装置。
【請求項５】
前記主通路がある角度で前記帯電位置に向かって外側にテーパとなっており、前記アンテナが約０度〜約３０度の角度でノズルに向かって内側にテーパとなっている請求項３に記載の静電噴霧装置。
【請求項６】
液体組成物を前記リザーバから前記ノズルに移動させるための容積移送機構をさらに具えた請求項１から請求項３の何れかに記載の静電噴霧装置。
【請求項７】
高電圧シールドが前記リザーバをほぼ取り囲んでおり、当該高電圧シールドが導電性である請求項１から請求項３の何れかに記載の静電噴霧装置。
【請求項８】
前記高圧電源供給部はフィードバック信号に応答して可変出力信号を与えるように構成されており、前記フィードバック信号が前記高圧電極にてモニターされる請求項１から請求項３の何れかに記載の静電噴霧装置。
【請求項９】
少なくとも前記リザーバと、前記ノズルと、前記流路と、前記高圧電極と、前記ノズル通路とが液体組成物を収容して送り出す着脱式カートリッジの一部である請求項１から請求項３の何れかに記載の静電噴霧装置。
【請求項１０】
前記リザーバ内に液体組成物を具え、当該液体組成物が
（ａ）１つ以上の液体絶縁材料を具えた約５％〜約７５％の絶縁性外側相と、
（ｂ）１つ以上の導電性材料を具えた約１５％〜約８０％の導電性内側相と
を具えたエマルジョン組成物である請求項１から請求項３の何れかに記載の静電噴霧装置。
【請求項１１】
前記エマルジョン組成物が被膜形成ポリマーをさらに具えている請求項１０に記載の静電噴霧装置。
【請求項１２】
前記エマルジョン組成物が粒子状顔料をさらに具えている請求項１０に記載の静電噴霧装置。
【請求項１３】
請求項１０に記載の静電噴霧装置によってエマルジョン組成物を静電的に噴霧するステップを具えた皮膚を処置する方法であって、前記エマルジョン組成物の複数の液滴が皮膚につけられることを特徴とする皮膚処置方法。
【請求項１４】
請求項１０に記載の静電噴霧装置によってエマルジョン組成物を静電的に噴霧するステップを具えた皮膚を処置する方法であって、前記エマルジョン組成物の不連続被膜が皮膚に付けられることを特徴とする皮膚処置方法。
【請求項１５】
静電噴霧装置と共に使用され、液体組成物を収容して送り出すように構成された着脱式カートリッジであって、前記静電噴霧装置が
液体組成物の供給部を収容するように構成されたリザーバと、
散布地点に配置されて液体組成物を散布させるためのノズルと、
前記リザーバと前記ノズルとの間に配置され、液体組成物が内部を移動するときに当該液体組成物の静電的帯電を可能にする流路と、
前記静電装置からの電力を受け取る高圧接点と、
この高圧接点に電気的に接続され、一部が前記リザーバと前記ノズルとの間に配置され、帯電位置において前記流路内の液体組成物を静電的に帯電させる高圧電極と、
前記帯電位置と前記ノズルとの間に配置され、長さｄ（mm）がＶｏ／ｄ＜４０００なる関係式によって決定され、ここでＶｏが前記高圧電源供給部の出力電圧（ｖ）であるノズル通路と
を具え、前記ノズル通路は前記ノズルに隣接して配置された排出路を具え、当該排出路は約０．１mm〜約１mmの直径を有し、点または約０mm〜約５mmの長さを有し、主通路が前記排出路と前記帯電位置との間に配置され、当該主通路は前記排出路よりも大きい約５mmまでの直径を有し、まっすぐまたは約０度〜約１０度の角度で前記帯電位置に向かって外側にテーパとなっていることを特徴とする着脱式カートリッジ。
【請求項１６】
静電噴霧装置と共に使用され、液体組成物を収容して送り出すように構成された着脱式カートリッジであって、前記静電噴霧装置が
液体組成物の供給部を収容するように構成されたリザーバと、
前記散布地点に配置されて液体組成物を散布させるためのノズルと、
前記リザーバと前記ノズルとの間に配置され、液体組成物が内部を移動するときに当該液体組成物の静電的帯電を可能にする流路と、
静電装置からの電力を受け取る高圧接点と、
この高圧接点に電気的に接続され、一部が前記リザーバと前記ノズルとの間に配置され、帯電位置において前記流路内の液体組成物を静電的に帯電させる高圧電極と、
前記帯電位置と前記ノズルとの間に配置され、長さｄ（mm）がＶｏ／ｄ＜４０００なる関係式によって決定され、ここでＶｏが前記高圧電源供給部の出力電圧（ｖ）であるノズル通路と
を具え、前記高圧電極は前記ノズル通路内の液体組成物の流れを促進させるアンテナを具え、このアンテナは前記ノズル通路のほぼ中心から突き出ており、基部の直径が約０．５mm〜約７mmで、高さが約０．５mm〜約７mmであることを特徴とする着脱式カートリッジ。
【請求項１７】
前記高圧電極は前記ノズル通路内の液体組成物の流れを促進させるアンテナを具え、このアンテナは前記ノズル通路のほぼ中心から突き出ており、基部の直径が約０．５mm〜約７mmで、高さが約０．５mm〜約７mmである請求項１５に記載の着脱式カートリッジ。
【請求項１８】
前記排出路が約０．５mm〜約３mmの長さを有し、前記主通路が約３度〜約７度の角度で外側にテーパとなっている請求項１５または請求項１７に記載の着脱式カートリッジ。
【請求項１９】
前記主通路がある角度で前記帯電位置に向かって外側にテーパとなっており、前記アンテナが約０度〜約３０度の角度でノズルに向かって内側にテーパとなっている請求項１７に記載の着脱式カートリッジ。
【請求項２０】
液体組成物を前記リザーバから前記ノズルに移動させるための容積移送機構をさらに具えた請求項１５から請求項１７の何れかに記載の着脱式カートリッジ。
【請求項２１】
高電圧シールドが前記リザーバをほぼ取り囲んでおり、当該高電圧シールドが導電性である請求項１５から請求項１７の何れかに記載の着脱式カートリッジ。
【請求項２２】
前記リザーバ内に液体組成物を具え、この液体組成物が
（ａ）１つ以上の液体絶縁材料を具えた約５％〜約７５％の絶縁性外側相と、
（ｂ）１つ以上の導電性材料を具えた約１５％〜約８０％の導電性内側相と
を具えたエマルジョン組成物である請求項１５から請求項１７の何れかに記載の着脱式カートリッジ。
【請求項２３】
前記エマルジョン組成物が被膜形成ポリマーをさらに具えている請求項２２に記載の着脱式カートリッジ。
【請求項２４】
前記エマルジョン組成物が粒子状顔料をさらに具えている請求項２２に記載の着脱式カートリッジ。
【発明の詳細な説明】
【技術分野】
【０００１】
本発明は、個人用に設計された携帯型静電噴霧装置、及び携帯型静電噴霧装置用の着脱式カートリッジに関する。より具体的には、本発明は、ユーザーに安全であるとともに良好な噴霧品質を提供し、さらに当該装置及び／またはカートリッジを便利で経済的に製造できるようにするための改良に関する。
【背景技術】
【０００２】
液体組成物を噴霧するのに有用な携帯型静電噴霧装置、特に着脱式カートリッジを使用する装置は、ＰＣＴ国際公開特許ＷＯ０１／１２３３６、ＷＯ０１／１２３３５、米国特許出願公開ＵＳ２００１−００２０６５３Ａ、ＵＳ２００１−００３８０４７Ａ、ＵＳ２００１−００２０６５２Ａ、及びＵＳ２００１−００２３９０２Ａのような特許公報において公知である。当該技術分野において認識されているように、静電噴霧装置の設計は、噴霧液滴の直径、噴霧液滴の直径の分布、及び被噴霧物から標的距離にある噴霧面積のような、噴霧品質因子を特定することから開始される。目標とする噴霧品質を達成させるには、高電圧出力、電流出力、製品流量のような装置の出力動作変数と、粘度、固有抵抗、表面張力のような液体組成物の特性とを調和させる。温度及び湿度のような環境因子を装置の動作変数及び液体組成物の特性と組み合わせた所与の条件下では、具体的な目標噴霧品質に対し、特定の電荷対質量比が存在する。電荷対質量比は、重量を基準にした、霧化された噴霧によって運ばれる電荷量の指標であり、１キログラム当りのクーロン数（Ｃ／ｋｇ）で表すことができる。電荷対質量比は、良好な噴霧品質が維持されていることを保証する、有用な指標を提供する。噴霧中に液体組成物の特性または装置の出力動作変数のいずれかが変化すると、結果として噴霧品質が変化することになる。
【０００３】
一定した液体組成物の特性を提供するのに重要な因子は、噴霧すべき液体組成物の安定性と関連がある。液体組成物の安定性を維持することは、液体組成物がエマルジョンであり、したがって導電相及び絶縁相を有する場合に特に重要であり、これは、リザーバ内部からの高い電界勾配が、当該液体組成物に電流を流れさせ、当該液体組成物をその導電相と絶縁相に分離させる場合があるからである。さらに、電気的に誘発されて液体組成物が分離すると、１つ以上の液体組成物の特性、例えば、粘度、固有抵抗、表面張力などの特性が変化し、その結果、得られる噴霧の電荷対質量比が変化する場合がある。液体組成物の分離自体は、液体組成物に期待される機能的性能を変化させることがあるので、ユーザーに不都合である。
【０００４】
当該技術分野では、例えば電界勾配を低減させ、次に高電圧シールドを組み込むことによりリザーバに電流が流れるのを防いで、リザーバを取り囲む領域を安定させ、さらにリザーバからより低電位にある装置内の隣接部への漏電を防ぐことによって、目標とする電荷対質量比を一貫して提供する方法が提供されている。提案されている他の方法は、電極の帯電位置とノズルとの間に位置する液体組成物の体積を制限し、それによって電気的に誘発され分離する液体組成物の体積を最小限に抑えることである。具体的には、電極の帯電位置とノズルとの間の、まっすぐで細いノズル通路が提案されている。
【０００５】
これらの方法は、使用時に安全で、良好な噴霧品質をもたらす静電噴霧装置を提供する点では成功しているが、まっすぐで、しかも直径が小さく精密なノズル通路を提供するのが困難であるので、ノズル通路及びその周辺部を大量生産で製造するのは困難且つ／または不経済である。
【発明の開示】
【発明が解決しようとする課題】
【０００６】
前述のことを踏まえて、ユーザーに安全であるとともに良好な噴霧品質を提供し、便利で経済的に製造される、携帯型静電噴霧装置及び／または携帯型静電噴霧装置用の着脱式カートリッジが必要とされている。さらに、噴霧中にエマルジョン液体組成物を維持できる、エマルジョン液体組成物を噴霧するための携帯型静電噴霧装置が必要とされている。さらに、ユーザーに様々な使用利益をもたらすエマルジョン液体組成物を噴霧するための携帯型静電噴霧装置が必要とされている。
【０００７】
既存の技術には、本発明の利点及び利益のすべてを提供するものは存在しない。
【課題を解決するための手段】
【０００８】
本発明は、液体組成物を静電的に帯電させ、供給部から散布地点へと分配するように構成及び配置された静電噴霧装置を対象としており、当該装置は、
液体組成物の供給部を収容するように構成されたリザーバと、
前記散布地点に配置されて液体組成物を散布させるためのノズルと、
前記リザーバと前記ノズルとの間に配置され、液体組成物が内部を移動するときに当該液体組成物の静電気帯電を可能にする流路と、
電荷を与える電源と、
この前記電源に対して電気的に接続されている高圧電源供給部と、
一部が前記リザーバと前記ノズルとの間に配置され、前記高圧電源供給部に電気的に接続され、帯電位置において前記流路内の液体組成物を静電的に帯電させる高圧電極と、
前記帯電位置と前記ノズルとの間に配置され、長さｄ（mm）がＶｏ／ｄ＜４０００なる関係式によって決定され、ここでＶｏが前記高圧電源供給部の出力電圧（ｖ）であるノズル通路と
を具え、
前記ノズル通路は前記ノズルに隣接して配置された排出路を具え、当該排出路は約０．１mm〜約１mmの直径を有し、点または約０mm〜約５mmの長さを有し、主通路は前記排出路と前記帯電位置との間に配置され、この主通路は前記排出路よりも大きい約５mmまでの直径を有し、まっすぐまたは約０度〜約１０度の角度で前記帯電位置に向かって外側にテーパとなっており、及び／または、
前記高圧電極は前記ノズル通路内の液体組成物の流れを促進させるアンテナを具え、このアンテナは前記ノズル通路のほぼ中心から突き出ており、基部の直径は約０．５mm〜約３mmで、高さは約０．５mm〜約３mmである。
【０００９】
本発明は、前述したような静電噴霧装置用の着脱式カートリッジをさらに対象としており、少なくとも、前記リザーバと、前記ノズルと、前記流路と、前記高圧電極と、前記ノズル通路とが当該着脱式カートリッジに具えられる。
【００１０】
本発明は、リザーバ内に液体組成物を具える、前述したような静電噴霧装置及び／または着脱式カートリッジをさらに対象としており、当該液体組成物は、（ａ）１つ以上の液体絶縁材料を具えた約５％〜約７５％の絶縁性外側相と、（ｂ）１つ以上の導電性材料を具えた約１５％〜約８０％の導電性内側相とを具えたエマルジョン組成物である。
【００１１】
本発明は、前述したような静電噴霧装置を使用して皮膚を処置する方法をさらに対象とする。
【００１２】
本明細書の静電噴霧装置は、ユーザーに安全であるとともに良好な噴霧品質を提供し、便利で経済的に製造することができる。
【００１３】
本発明の前述の及びその他の特徴、態様、並びに利点は、以下の説明及び添付の特許請求の範囲を読むことで、よりよく理解されよう。
【発明を実施するための最良の形態】
【００１４】
本明細書は、本発明を特に指摘し明確に請求する特許請求の範囲をもって結論とするが、本発明は、以下の好ましい非限定的な実施形態及び代表例の説明を添付図面と併せて読むことで、よりよく理解されるものと考えられている。
【００１５】
すべての引用文献の全体を、参考として本明細書に組み込む。いかなる参照文献の引用も、特許請求する本発明の従来技術としての有用性の決定に関して容認するものではない。
【００１６】
本明細書では、「具える」とは、最終結果に影響を及ぼさない他の要素を追加できることを意味する。この用語には、「から成る」及び「から本質的に成る」という用語が包含される。
【００１７】
特に指定のない限り、百分率、割合、及び比率は、すべて本発明の組成物の総重量を基準とする。このような重量は、列挙成分に関するときには、すべて活性レベルに基づいており、したがってこのような重量には、市販の材料に含まれていることのあるキャリアまたは副生成物は含まれない。
【００１８】
本明細書では、「高電圧（または「高圧」）」とは、約１０００Ｖ以上の電圧を意味する。本明細書では、高電圧を「ＨＶ」と略す場合がある。
【００１９】
本明細書では、「導電性」とは、約１００ＭΩｃｍ以下の伝導率を意味する。
本明細書では、「安全」とは、静電噴霧装置のユーザーに放電が加わらないか、または知覚できない程度の放電量しか加わらない状態を意味する。
【００２０】
本明細書に有用な活性物質及び他の成分のようなすべての成分は、美容的及び／若しくは治療的な効果、またはそれらが要求される作用様式によって分類または記述することができる。ただし、本明細書に有用な活性成分及び他の成分が、場合によっては複数の美容的及び／若しくは治療的な効果をもたらすこともあり、または複数の作用様式を介して作用することもあることを理解すべきである。したがって、本明細書内の分類は、便宜上行われたものであって、ある成分を特に記載される用途または列挙される用途に制限しようとするものではない。
【００２１】
（静電噴霧装置）
本発明は、液体組成物を静電的に帯電させ、供給部から散布地点へと分配するように構成及び配置された静電噴霧装置に関し、当該装置は、
液体組成物の供給部を収容するように構成されたリザーバと、
前記散布地点に配置されて液体組成物を散布させるためのノズルと、
前記リザーバと前記ノズルとの間に配置され、液体組成物が内部を移動するときに当該液体組成物の静電気帯電を可能にする流路と、
電荷を与える電源と、
この前記電源に対して電気的に接続されている高圧電源供給部と、
一部が前記リザーバと前記ノズルとの間に配置され、前記高圧電源供給部に電気的に接続され、帯電位置において前記流路内の液体組成物を静電的に帯電させる高圧電極と、
前記帯電位置と前記ノズルとの間に配置されたノズル通路と
を具える。
【００２２】
前述したような静電噴霧装置のすべての要素を、液体組成物を補充する手段を具える装置内に配置することができ、または一部を着脱式カートリッジ内に配置することもでき、その場合、当該液体組成物は、着脱式カートリッジの交換によって補充される。好ましい実施形態では、少なくとも、前記リザーバと、前記ノズルと、前記流路と、前記高圧電極と、前記ノズル通路とが、着脱式カートリッジの形態中に具えられる。静電噴霧装置の要素の配置に関する他の構成も可能であるが、本明細書では、本発明について、リザーバと、ノズルと、流路と、高圧電極と、ノズル通路とを具える着脱式カートリッジを利用する好ましい実施形態に関して説明する。
【００２３】
図１を参照すると、手持ち式の自蔵型静電噴霧装置が着脱式カートリッジ２００と共に等角分解図で示されている。着脱式カートリッジ２００には様々な液体組成物を入れてよい。着脱式カートリッジ２００内の液体組成物は、容積移送することができ、ギアボックス／モータ構成要素１０によって動力を供給される。ギアボックス／モータ構成要素１０は、前側カートリッジ格納部２０及び後側カートリッジ格納部２５内に固定することができる。ギアボックス／モータ構成要素１０は、機械的に、接着剤で、または他の好適な技術によって、所定の場所に取り付けることができる。ギアボックス／モータ構成要素１０には、駆動装置９０が留め付けられている。駆動装置９０は、突き出しフィンガー９５をいくつか、例えば３つ有しており、これらを着脱式カートリッジ２００の作動装置２４０の背面にある、合致する陥凹部内に嵌め込むことができる。
【００２４】
装置に電力を供給する電力供給源（図示せず）は、バッテリホルダ５７内に固定することができる。好適な電力供給源の例には、２つの「ＡＡＡ」型バッテリが含まれるが、これに限定されない。電力供給源は、１つ以上のバッテリハーネス５５及びバッテリジャンパープレート７５を介して主回路基板６０に電力を供給する。バッテリハーネス５５及びバッテリジャンパープレート７５は、熱融解または他の好適な技術によって、それぞれバッテリホルダ５７及びバッテリ蓋３５上に固定することができる。バッテリハーネス５５及びバッテリジャンパープレート７５は、電力供給源及び主回路基板６０に、電気的接触を保証する十分な圧力を与える。バッテリハーネス５５及びバッテリジャンパープレート７５は、例えば、ニッケルメッキ鋼で作製することができる。
【００２５】
１つ以上の金属接点３０は、主回路基板６０内の指定端子からギアボックス／モータ構成要素１０内に格納されたモータへと電力を運ぶ。金属接点３０は、主回路基板６０及びモータ端子に、電気的接触を保証する十分な圧力を与える。金属接点３０は、例えば、ニッケルメッキ鋼で作製することができる。金属接点３０は、熱融解または他の好適な技術によって後側カートリッジ格納部２５上に機械的に固定することができる。
【００２６】
主回路基板６０は、パルスまたはＡＣ信号を発生させて高圧電源供給部４０を駆動させ、高電圧を生じさせる。高電圧出力は、高電圧接点５０を介して着脱式カートリッジ２００と接触する。高圧電源供給部４０は、主回路基板６０によって電力供給され、制御される。主回路基板６０が差し込まれたフレキシブル回路基板６５は、接地端子７２、印加スイッチ７０、及びパワーオンインジケータ７４を有する。印加スイッチ７０は、噴霧ボタン８０からの物理的圧力を受ける触知性スイッチにすることができる。接地端子７２と噴霧ボタン８０は、圧接、ハンダ付け、または他の好適な技術によって電気的に接続されている。この、接地端子７２と噴霧ボタン８０との間の電気的接続は、ユーザーのところに静電気を蓄積させずに、ＨＶ電極から装置接地部への統計的エネルギー流出回路（statistical energy drain circuit）を構築する。噴霧ボタン８０により、ユーザーは、電源と回路制御部６０との間を遮断することができる。ユーザーのところで生じた電荷が噴霧ボタン８０及び接地端子７２を介して装置接地部へと効果的に流出するように、噴霧ボタン８０を導電性材料、例えば、いずれかの金属、炭素、及び他の材料で作製または処理すべきである。
【００２７】
前側カートリッジ格納部２０及び後側カートリッジ格納部２５のアセンブリには、さらに、着脱式カートリッジ２００を機械的な作用によって据え付け、係止させ、取り出すことができるような、またさらに電気／機械的動作を調整できるような、追加機能を提供する部品が格納される。噴霧ボタン８０及び取り出し用プッシュロッド８５は、ロックスライド８７がロックされた位置にあるときまたはカートリッジがないときには印加スイッチ７０を押すことができないように設計されている。取り出し用バネ８６は、取り出し用プッシュロッド８５にカートリッジ２００を押し出させる、滑り動作を生み出す。取り出しボタン１３０を押し下げて、ロックラッチ８９を着脱式カートリッジ２００から外せば、カートリッジ２００を取り出すことができる。
【００２８】
（ノズル通路及び高圧電極）
本発明は、特に、便利且つ経済的に製造され、しかも安全性が損なわれない、ノズル通路及び当該ノズル通路内の液体組成物の流れを促進させる高圧電極の構成に関する。図４Ａを参照すると、ノズル通路３００は、帯電位置３１０（着脱式カートリッジ２００の開放チャンバ内にあり、さらに高圧電極２１０付近の点）と、ノズル２８０（装置から噴霧が出て行く二次元的出口オリフィス）との間に画定される。触知可能な放電の形でユーザーが感電する危険を最小限に抑えるには、ノズル通路３００の長さｄ（mm）はＶo／ｄ＜４０００なる関係式によって決定され、ここでＶoは高圧電源供給部４０の出力電圧（ｖ）である。好ましくは、この商（Ｖo／ｄ）は、約２，７００未満であり、より好ましくは約２，０００未満である。
【００２９】
本発明の１つの態様では、上記で規定したノズル通路３００の長さの範囲内で、ノズル通路３００は、ノズル２８０に隣接して配置された排出路４１０、及び排出路４１０と帯電位置３１０との間に配置された主通路４２０を具える。排出路４１０は、直径が約０．１mm〜約１mmであり、ｄ1で表された長さが約０mm〜約５mm、好ましくは約０．５mm〜約３mm、より好ましくは約１mm〜約２mmである。排出路４１０の長さが０mmのときには、排出路４１０が実質的にノズル２８０になる。主通路４２０の直径は、排出路４１０よりも大きいが、主通路４２０の長さ全体にわたって約７mmを超えず、好ましくは約０．１mm〜約５mmである。図４Ｂを参照すると、主通路４２０は、まっすぐまたは帯電位置３１０に向かって外側にテーパとなっていてもよいが、θで表された角度が約０度〜約１０度、好ましくは約３度〜約７度、より好ましくは約４度〜約６度でテーパとなっていることが好ましい。図４Ａに戻って参照すると、ｄ2で表された主通路４２０の長さは、ノズル通路３００の長さ（ｄ）と排出路の長さ（ｄ1）との差分として定義される。
【００３０】
本発明のもう１つの態様では、高圧電極２１０は、ノズル通路３００のほぼ中心から突き出ているアンテナ４３０を具える。アンテナは、高圧電極２１０と同一の材料または異なる材料で作製することができるが、同一材料であることが好ましい。図４Ｂを参照すると、アンテナ４３０は、当該アンテナを取り囲む領域に、液体組成物が外部に向かってノズルへと流れる空間が残るように配置されている。図４Ａを参照すると、アンテナ４３０のｄ3で表された基部の直径は、約０．５mm〜約７mm、好ましくは約１mm〜約４mmであり、ｄ4で表された高さは、約０．５mm〜約７mm、好ましくは約１．５mm〜約４mmである。図４Ｂを参照すると、アンテナ４３０は、まっすぐでもよく、またはノズルに向かって内側にテーパとなっていてもよいが、製造が容易なようにテーパとなっていることが好ましい。テーパとなっている場合、θ’で表されたテーパ角度は、好ましくは約０度〜約３０度、より好ましくは約５度〜約１５度である。
【００３１】
当該技術分野では、液体組成物がノズル通路３００を満たしているときに、触知可能な放電の形でユーザーが感電する可能性があり、またこのことは、特に液体組成物が導電相を具える場合に真であることが、当該技術分野において知られている。そのような状況は、例えば、ユーザーが既に着脱式カートリッジから液体組成物を完全に分配してしまい、その結果ノズル通路３００が満たされているときに起こる。液体組成物の帯電がノズル２８０から離れた地点（帯電位置３１０）で起こる本発明の静電噴霧装置の場合、液体組成物の帯電が前記ノズル２８０から最大限離れた場所で起こり、それによって最高の安全性がもたらされるという状況が理想的である。しかし、前記距離を超えて帯電が起こるときに、前記帯電位置３１０と前記ノズル２８０との間の流体体積内での電圧降下が噴霧形成に影響を及ぼすほど大きくなる距離が、確かに存在する。ノズル２８０における電圧が最適噴霧を形成するのに必要な電圧よりも低くなると、噴霧形成に影響を及ぼす。さらに、ノズル通路３００の容積を制限することによってノズル通路３００内にある液体組成物を制限すると、電気的に誘発される分離が低減された。したがって、電極帯電位置３１０とノズル２８０との間のまっすぐで細いノズル通路（ノズル２８０とほぼ同一の直径を有する）が提案された。
【００３２】
驚いたことに、前述した構成をもつ本発明のノズル通路３００を設けることによって、ノズル通路３００の容積が大幅に増加するにも関わらず、良好な噴霧品質を得ることができることがわかった。理論に束縛されるものではないが、本発明のノズル通路３００の構成によって、逆流による撹乱、またはノズル通路３００内の圧力差が少なく、液体組成物がノズルに向かってスムーズに流れると考えられている。ノズル通路３００の容積が大幅に増加しているにも関わらず、放電による漏電量は、安全性に影響を及ぼすレベルまでは増加しない。さらに、ノズル通路３００の構成が、便利且つ経済的な製造を可能にする。
【００３３】
ノズル通路の最適な構成、特に長さは、噴霧すべき液体組成物に望まれる具体的な目標噴霧品質を考慮して決定される。噴霧品質に影響を及ぼすことで知られている出力動作変数は、例えば、高電圧出力、電流出力、及び製品流量である。これらの変数のうち、高電圧出力は、直接、ノズル通路３００内に存在する液体組成物の抵抗（Ｒ）の影響を受ける。当業者は、液体組成物の固有抵抗（ＭΩ・ｃｍ）をρ、ノズル通路３００の長さ（ｃｍ）をｄ、高圧電極の断面積（ｃｍ2）をＡとしたときのＲ＝ρＸｄ／Ａなる関係式を考慮することによって、ノズル通路の長さを決定することができる。当業者は、液体組成物の固有抵抗に応じて、ノズルのところで目標の高電圧出力を提供する、最適ノズル通路長を決定することができる。図４Ｃは、本発明のノズル通路のさらにもう１つの好ましい実施形態を描いている。
【００３４】
本発明のもう１つの態様では、やはり驚いたことに、前述した構成のアンテナ４３０を具える高圧電極２１０を設けることによって、良好な噴霧品質を得ることができることがわかった。理論に束縛されるものではないが、アンテナ４３０の存在が、逆流を減少させることによって、ノズル通路３００に向かう液体組成物の流れを促進すると考えられている。
【００３５】
本発明の特に好ましい実施形態では、ノズル通路３００の構成と、アンテナ４３０を具える高圧電極２１０の構成とが組み合わされる。このような組み合わせが、ノズル通路３００内の液体組成物の特に好適でスムーズな流れをもたらす。
【００３６】
（リザーバ）
本発明の好ましい実施形態では、リザーバは、良好な噴霧品質を提供する他の機構及び安全機構を有する。図３に示したように、着脱式カートリッジ２００は、ほぼリザーバ２２０の外周部の周りに位置する導電性シールド２１０を有する。導電性シールド２１０は、導電性プラスチック（例えば、炭素繊維が１０％充填されたアクリロニトリルブタジエンスチレン（ＡＢＳ））、金属（例えば、アルミニウム）、または他のいかなる好適な材料を使用しても構築することができる。導電性シールド２１０は、共射出成形、２ショット成形、または他のいずれかの製造技法などによって、カートリッジ絶縁体２６０の一体部品として形成されてよい。あるいは、導電性シールド２１０を別個に形成し、その後、いずれかの好適な技法、例えばこれに限るものではないが圧入嵌合などによって、カートリッジ絶縁体２６０に連結してもよい。作動装置２４０は、着脱式カートリッジ２００の非放電端に位置する。作動装置２４０には、ネジ付きシャフト２５０の一端を通す内ネジ（図示せず）と、リザーバ２２０の開放端にスナップ嵌めするためのスナップビードとを設けてもよい。ネジ付きシャフト２５０の他端には、回転運動するピストン２３０を設けることができる。こうすることで、ネジ付きシャフト２５０によってピストン２３０を作動装置２４０と連結させることができ、これでピストン２３０が、ギアボックス／モータ構成要素（図示せず）による作動装置２４０の回旋に応答して、リザーバ２２０の内表面に沿ってノズル２８０に向かって滑ることができる。したがって、このピストン２３０の動きにより、リザーバ２２０から液体組成物を移動させることができる。図１を参照すると、駆動装置９０は、突き出しフィンガー９５をいくつか、例えば３つ有しており、これらを作動装置２４０の背面にある、合致する陥凹部内に嵌め込むことができる。好ましくは、突き出たフィンガー９５それぞれが、リザーバから液体組成物が移動する回転方向とは反対の方向に着脱式カートリッジ２００を案内するように構成されている。このような回転により、着脱式カートリッジ２００を静電噴霧装置に係合させるときの液体組成物の不慮の溢出が回避される。図３に戻って参照すると、ノズル近傍に接触している物体が液体組成物の残りで汚れるのを防ぐために、キャップ２９０が設けられるのが好ましい。
【００３７】
（操作システム）
本発明の好ましい実施形態では、本発明の静電噴霧装置は、目標とする電荷対質量比を維持するための様々な出力操作システムを具えており、それによって良好な噴霧品質を維持する。
【００３８】
図５は、静電噴霧装置の１つの実施形態の概略的な電気回路図を示す。図に示された電力供給源５１０は、バッテリまたは当該技術分野において既知の他の電源にすることができる。例えば、電源を、２つの標準「ＡＡＡ」バッテリのような、ユーザーが交換可能な１つ以上のバッテリにすることができる。あるいは、電源を、ユーザーが再充電可能な電池、ユーザーが使用不可能・再充電不可能なパワーパック、または外部電源（すなわち、「電力線」供給）にすることができる。回路の少なくとも１つの配置では、電力供給源５１０を、電力モニタ５２０によって回路の他の部分から隔てることができる。電力モニタ５２０は、事前設定された「シャットダウン」バッテリ電圧を検出したときに、全装置の動作をシャットダウンさせることができる。これが、バッテリからの電力供給が不十分なことが原因である、装置の不安定な動作を防ぐ。また、電力モニタ５２０は、事前設定された「警告」バッテリ電圧を検出したときに、電力警告オシレータ５２５を作動させる。次に、電力警告オシレータ５２５が、パワーオンインジケータ５４０に点滅信号を与える。１つの実施形態では、電力モニタ５２０は、１つ以上の半導体モジュール、例えば、セイコーインスツルメンツ社（Seiko Instruments Inc.）から入手可能なＳ−８０８２１ＡＮＮＰ−ＥＤＪ−Ｔ２にすることができる。
【００３９】
ＤＣ／ＤＣコンバータ５３０は、電源５１０から入力電圧供給、例えば、従来型の２つの「ＡＡＡ」型バッテリからの公称３．０ボルトの供給を受け取り、それを５．０ボルトの供給のようなより高い電圧信号に変換する。ＤＣ／ＤＣコンバータ５３０は、例えば、セイコーインスツルメンツ社から入手可能な３Ｖ−５Ｖ用ＤＣコンバータ（品番Ｓ−８３２７Ｅ５０ＭＣ−ＥＫＥ−Ｔ２）にすることができる。また、ＤＣ／ＤＣコンバータ５３０を使用して、パワーオンインジケータ５４０に信号を送信することもできる。この信号は、ＤＣ／ＤＣコンバータ５３０からの供給信号の一部か、または電力警告オシレータ５２５からの発振信号のいずれかにすることができる。パワーオンインジケータ５４０は、例えば、可視電磁（ＥＭ）スペクトルの赤色範囲内の光を発するＬＥＤにすることができる。パワーオンインジケータ５４０は、装置が十分なバッテリ電圧を供給されて正常動作しているときに連続可視光を発するように構成することができる。また、パワーオンインジケータ５４０は、バッテリが低電圧であることをユーザーに警告する点滅可視光を発することもできる。ユーザー制御型の印加スイッチ５４５を押し下げてまたは「オン」の位置に向けて（採用されるスイッチの種類による）、電力供給回路を完成させ、電圧調整器５５０に電力を供給することができる。また、印加スイッチ５４５は、上流のＤＣ／ＤＣコンバータ５３０及び電力警告オシレータ５２５を調整することもできる。より具体的には、印加スイッチが「オフ」のときに装置でバッテリ電力の流出を防ぐことができ、これでバッテリの寿命を延長させることができる。電圧調整器５５０は、モータ５６０への入力電圧を制御することができる。電圧調整器からの公称電圧出力は、約３．２ボルトにすることができる。
【００４０】
ＨＶ制御ブロック５８０及びＤＣ／ＤＣコンバータ６００は、入力バッテリ電圧を、約２５ボルトのより高い公称出力電圧に変換することができる。ＨＶ制御ブロック５８０は、ＤＣ／ＤＣコンバータ６００で発生した出力電圧を調節することができる。ＤＣ／ＤＣコンバータ６００は、例えば、セイコーインスツルメンツ社からのＳ−８３２７Ｅ５０ＭＣ−ＥＫＥ−Ｔ２にすることができる。ＨＶ制御ブロック５８０は、ＤＣ／ＤＣコンバータの出力のところに挿入することができ、これを例えば、一連の抵抗器から成る、及び／または抵抗器と（１つ若しくは複数の）ツェナーダイオードの組み合わせから成る、分圧ユニットにすることができる。方形波発生器５９０は、ＤＣ／ＤＣコンバータ６００から供給された電流を発振させて、電圧変圧器６２０に４ＫＨｚ前後で５マイクロ秒幅の方形パルス信号を提供することができる。方形波発生器５９０は、例えば、東芝（Toshiba Corporation）の品番ＴＣ７５Ｗ５７ＦＵのようなＩＣコンパレータにすることができる。
【００４１】
高電圧変圧器６２０の巻数比は、例えば、約１００：１にすることができ、この場合、一次コイルでの入力電圧が約２５．０ボルトであれば、二次コイルからの出力電圧が約２．５ｋＶ（２５００ボルト）になる。高電圧変圧器６２０からの出力電圧を、次に、電圧増倍器６３０に供給することができる。
【００４２】
電圧増倍器６３０は、高電圧変圧器６２０からの出力信号を整流し、それを増倍して、より高電圧のＤＣ出力電圧を提供する。例えば、高電圧変圧器６２０の出力電圧が約２．５ｋＶのＡＣ信号の場合、電圧増倍器６３０がこの信号を整流し、それを増倍して、１４．５ｋＶのＤＣ出力電圧のような、より高電圧のＤＣ出力を提供することができる。１つの実施形態では、電圧増倍器６３０は、６段式コックロフト−ウォルトン・ダイオード電荷ポンプにすることができる。コックロフト−ウォルトン・ダイオード電荷ポンプの１段は、普通、回路内の１つのコンデンサと１つのダイオードの組み合わせとして規定される。当業者には、電圧増倍器に必要な段数が、入力ＡＣ電圧源の規模に応じて決まり、必要な出力電圧に左右されることが認識されよう。１つの実施形態では、高電圧変圧器６２０及び電圧増倍器６３０は、例えば信越化学工業（株）（Shin-Etsu Chemical Company,Ltd.）から品番ＫＥ１２０４（Ａ．Ｂ）ＴＬＶとして入手可能な、シリコン封止剤のような封止剤で被包されることができる。高電圧変圧器６２０及び電圧増倍器６３０を封止剤で被包することにより、これら高電圧構成要素からの漏電及びコロナ放電を低減させて、それらの効率を増大させることができる。
【００４３】
高電圧増倍器６３０の出力と高圧電極６５０との間に、減流抵抗器６４０を配置することができる。減流抵抗器６４０を使用して、高圧電極６５０が利用可能な高電圧増倍器６３０からの電流出力を制限することができる。１つの特定の実施形態では、減流抵抗器６４０を、例えば、約１０ＭΩにすることができる。ただし、より大きな出力電流が望まれる場合、より小さな抵抗値の減流抵抗器が望ましいことが当業者には認識されよう。逆に、より小さな出力電流が望まれる場合には、より大きな抵抗値の減流抵抗器が望ましい。高圧電極６５０は、好適な金属または導電性プラスチック、例えば、炭素繊維が１０％充填されたアクリロニトリルブタジエンスチレン（ＡＢＳ）などから作製することができる。また、ブリーダ抵抗器６６０を図５に示したように接続することができ、これについてはより詳細に後述する。また、接地接点を設けて、静電噴霧装置の回路とユーザーとの間に共通接地を確立し、ユーザーが感電する危険を低減させることもできる。さらに、パーソナルケア用途では、接地接点により、ユーザーの皮膚に帯電粒子が堆積するにつれてユーザーの皮膚に電荷が蓄積していくのを防ぐこともできる。モータ５６０及び高電圧供給回路を装置に対して同時に接地させていなければユーザーがそれらにエネルギー供給できないように、接地接点を、印加スイッチ５４５と一体化させ、及び／または印加スイッチ５４５にほぼ隣接させることができる。例えば、印加スイッチ５４５を、金属材料または他の導電性材料で作製または処理することができる。接地接点を導電性の接点にすることができ、または接地電極を印加スイッチ５４５の隣に配置することができる。
【００４４】
（ロック／解放機構）
本発明の静電噴霧装置は、好ましくは、手で容易に保持されるサイズ及び重量であり、携帯可能である。好ましくは、特定の条件下で装置が作動しないように保証するロック機構が追加され、これで、例えば装置をバッグの中に入れて運んでいるときに、不慮の噴霧が起こらなくなる。また、着脱式カートリッジが使用されているときには、着脱式カートリッジの解放を容易にする機構を設けることも好ましい。誤使用を防ぎ、ユーザーが不慮に高電圧に直接曝されるのを防ぐために、着脱式カートリッジがないときには装置が作動しないことがさらに好ましい。
【００４５】
本発明の好ましい実施形態では、静電噴霧装置は、
（ａ）着脱式カートリッジが適正な位置に置かれ、ロックスライドがロック解除位置にあり、さらに噴霧ボタンが押されたときにだけ、装置を作動させる機構と、
（ｂ）着脱式カートリッジがないとき、または不適切な位置に置かれているとき、若しくはロックスライドがロックされた位置にあるときには、噴霧ボタンが押されても装置を作動させない機構とを具える。
【００４６】
図６Ａは、着脱式カートリッジ２００が挿入されており、ロックスライド８７がロック解除位置にあるときの、静電噴霧装置の好ましい実施形態の部分断面図である。図６Ｂ及び図１に示したように、ロックスライド８７がこのロック解除位置にあるときには、噴霧ボタン８０を物理的に押し下げて、取り出し用プッシュロッド８５のウィンドウ１００を介して印加スイッチ７０に係合させることができる。図６Ａに戻って参照すると、噴霧ボタン８０が押されたときに、噴霧ボタン８０の突き出た部分８００が印加スイッチ７０に連結して装置を作動させる。ロックスライド８７がロック解除位置にあるときには、光ガイド８８が露出されるので、ユーザーはパワーオンインジケータ７４（図１）を見ることができる。パワーオンインジケータ７４をモニターして、装置を動作可能状態にするのに十分な電力供給があるかどうか調べることができる。
【００４７】
図７Ａは、着脱式カートリッジ２００が挿入されており、ロックスライド８７がロックされた位置にあるときの、静電噴霧装置の好ましい実施形態の部分断面図である。図７Ｂ及び図１に示したように、ロックスライド８７がこのロックされた位置にあるときには、当該ロックスライド８７は、噴霧ボタン８０が物理的に押し下げられてウィンドウ１００に係合するのを妨ぐ。したがって、図７Ａに戻って参照すると、噴霧ボタン８０の突き出た部分８００は、印加スイッチ７０に接触して装置を作動させることができない。このような機構を設けることによって、ユーザーは、例えば装置をバッグの中に入れて運んでいるときでも、カートリッジを取り外す面倒なしに装置をロックすることができる。ロックスライド８７がロックされた位置にあるときには、光ガイド８８が塞がれているので、ユーザーはパワーオンインジケータ７４（図１）を見ることができず、それによって装置が動作不可能状態にあることが示される。
【００４８】
図８Ａは、着脱式カートリッジ２００が不適切な位置に挿入されているとき、または取り出しボタン１３０が作動されたときの、静電噴霧装置の好ましい実施形態の部分断面図である。図８Ｃに示したように、取り出しボタン１３０を押すことにより、ロックラッチ８９が着脱式カートリッジ２００の突出部を解放し、その結果、着脱式カートリッジ２００が外れる。図８Ａに戻って参照すると、これにより、着脱式カートリッジ２００がノズルの方向に移動する。この位置では、取り出し用プッシュロッド８５が、噴霧ボタン８０が押されるのを妨げるので、装置を作動させることができない。
【００４９】
図９Ａは、着脱式カートリッジがないときの、本発明の静電噴霧装置の好ましい実施形態の部分断面図である。この位置では、取り出し用プッシュロッド８５が、噴霧ボタン８０が押されるのを妨げるので、装置を作動させることができない。
【００５０】
（液体組成物及び使用方法）
本発明の静電噴霧装置は、様々な目的の様々な液体組成物を噴霧するのに適している。前述したような装置に設けられた安全機構を考えると、本発明の装置は、特に個人用に適している。さらに、本発明の装置は、導電相を有する液体組成物、特にエマルジョン組成物が使用されるときにも、良好な噴霧品質を提供する。
【００５１】
本発明のもう１つの態様では、静電噴霧装置は、リザーバ内に液体組成物を具え、この液体組成物は（ａ）１つ以上の液体絶縁材料を具えた連続的な絶縁性外側相、（ｂ）液体または粒子状の形態であってよい１つ以上の導電性材料を具えた不連続な導電性内側相とを具えたエマルジョン組成物である。リザーバは、着脱式カートリッジ内に具えられてもよい。導電性内側相は、絶縁性外側相中に分散した液滴または粒子として存在する。また、本発明は、すぐ上に記載した静電噴霧装置を使用して皮膚を処置する方法に関し、当該静電噴霧装置によって噴霧される液体組成物は、皮膚に何らかの美容的または機能的効果をもたらし、これは絶縁材料、導電性材料、または他の材料であることができる。
【００５２】
本明細書の液体組成物は、装置内で当該液体組成物を帯電液滴の噴霧として霧化させるのに十分な高電位まで、噴霧すべき液体組成物を上昇させることによって、静電的に皮膚に噴霧可能になる。帯電した液滴は、最も近くにあるアースされた物体を探してその電荷を放電するが、その物体が所望の噴霧標的になるように配置することができる。
【００５３】
静電的に噴霧可能であるには、液体組成物が、帯電液滴の噴霧として霧化可能であるような固有抵抗を有さなければならない。好ましい液体組成物では、当該液体組成物の構成成分は、液体組成物が約０．０１〜約５０００ＭΩ・ｃｍ、より好ましくは約０．０１〜約２０００ＭΩ・ｃｍ、最も好ましくは約０．１〜約５００ＭΩ・ｃｍの固有抵抗を有するように選択または調節される。固有抵抗は、従来の標準的な装置及び方法を用いて、一般に２５℃において測定される。固有抵抗は、必要に応じて絶縁材料と導電性材料の相対濃度を変えることによって調節することができる。一般に、固有抵抗は、導電性材料の割合が増加するほど、また絶縁材料の割合が減少するほど減少する。
【００５４】
また、液体組成物は、静電的な噴霧が可能な粘度を有さなければならない。広範囲の粘度の材料が本発明での使用に適し得るが、皮膚に付けられたときの液体組成物の液滴の毛管現象（wicking）を最小限に抑えるには、粘度が十分に高いことが好ましい。毛管現象が起こる傾向は、液体組成物の表面張力に左右され、液体構成成分の表面張力が減少するほど増加する傾向にある。比較的低い表面張力を有する（すなわち、基材を濡らす傾向にある）液体構成成分を主体とする液体組成物では、一般に、本明細書に記載される構造剤または濃厚剤のような、毛管現象を最小限に抑える増粘剤を使用することが望ましい。好ましくは、粘度は、約０．１〜約５０，０００ｍＰａｓ、より好ましくは約０．５〜約２０，０００ｍＰａｓ、最も好ましくは約５〜約１０，０００ｍＰａｓ（２５℃において、１０秒-1の割合で０．５mmギャップを有する６０mm平行プレートを使用）の範囲内である。
【００５５】
（絶縁性外側相）
絶縁性外側相は、１つ以上の絶縁材料を具えているので、全体として静電噴霧には適していない（すなわち、その電界内で双極性分子の十分な整列を引き起こすことができず、結果として必要な正味の力をもたらすことができない）。この相は、好ましくは、約２０００ＭΩ・ｃｍ以上、より好ましくは約５０００ＭΩ・ｃｍ以上の固有抵抗を有する。この相は、流体であって、少なくとも１つの絶縁液体材料を具えており、好ましくは約１０，０００ｍＰａｓ以下の粘度を有する。
【００５６】
好適な絶縁材料は、非極性物質、例えば、油及び他の疎水性材料から選択される。絶縁材料は、揮発性（すなわち、１気圧にて測定可能な蒸気圧を有する）または非揮発性であってよいが、揮発性材料が好ましい。好ましい液体絶縁材料は、約１０，０００ｍＰａｓ以下の粘度を有する。液体組成物は、少なくとも１つの液体絶縁材料に加えて、非液体の絶縁材料を具えてよい。好ましい絶縁材料は、揮発性シリコーン類、揮発性炭化水素類、及びこれらの混合物から成る群から選択される。
【００５７】
好適な揮発性シリコーン類には、化学式［ＳｉＲ2−Ｏ］nで表される環状ポリアルキルシロキサン類が挙げられ、式中、Ｒはアルキル基（好ましくは、Ｒはメチルまたはエチル、より好ましくはメチル）であり、ｎは約３〜約８の整数であり、より好ましくはｎは約３〜約７の整数であり、最も好ましくはｎは約４〜約６の整数である。Ｒがメチルのときには、これらの材料は、通常、シクロメチコン類と呼ばれる。市販のシクロメチコン類には、粘度が２．５センチストークス、沸点が１７２℃で、主としてシクロメチコンテトラマー（すなわち、ｎ＝４）を含有するダウ・コーニング（Dow Corning）（登録商標）２４４流体、粘度が２．５センチストークス、沸点が１７８℃で、主としてシクロメチコンペンタマー（すなわち、ｎ＝５）を含有するダウ・コーニング登録商標）３４４流体、粘度が４．２センチストークス、沸点が２０５℃で、主としてシクロメチコンテトラマー及びペンタマー（すなわち、ｎ＝４及び５）の混合物を含有するダウ・コーニング（登録商標）２４５流体、並びに、粘度が４．５センチストークス、沸点が２１７℃で、主としてシクロメチコンテトラマー、ペンタマー、及びヘキサマー（すなわち、ｎ＝４、５、及び６）の混合物を含有するダウ・コーニング（登録商標）３４５流体が挙げられる。好ましいシクロメチコン類は、ダウ・コーニング（登録商標）２４４流体及びダウ・コーニング（登録商標）３４流体である。
【００５８】
その他の好適な揮発性シリコーン類は、約３〜約９個のケイ素原子、及び一般式（ＣＨ3）3Ｓｉ−Ｏ−［−Ｓｉ（ＣＨ3）2−Ｏ−］−n−Ｓｉ（ＣＨ3）3を有する線状ポリジメチルシロキサン類であり、式中、ｎは０〜７である。これらのシリコーン類は、ダウ・コーニング社（Dow Corning Corporation）及びゼネラル・エレクトリック（General Electric）を含め、さまざまな供給源から入手可能である。
【００５９】
好適な揮発性炭化水素類には、６０〜２６０℃の範囲の沸点を有するものが挙げられ、より好ましくは約Ｃ8〜約Ｃ20の鎖長を有する炭化水素類であり、最も好ましくはＣ8〜Ｃ20のイソパラフィン類である。好ましいイソパラフィン類は、イソドデカン、イソヘキサデカン、イソエイコサン、２，２，４−トリメチルペンタン、２，３−ジメチルヘキサン及びこれらの混合物であり、イソドデカン、イソヘキサデカン、イソエイコサン、及びこれらの混合物がより好ましい。最も好ましいのは、例えば、パーメチル社（Permethyl Corporation）からパーメチル（Permethyl）９９Ａとして入手可能なイソドデカンである。
【００６０】
（導電性内側相）
導電性内側相は、１つ以上の導電性材料を具えているので、不均一な電界が存在するときに、液体組成物が全体として、当該液体組成物を最も高い電界強度領域に向かって引き寄せる十分な大きさの誘電泳動力を生み出す（それによって静電噴霧を創り出す）ことができる。導電性内側相は、好ましくは、５，０００ＭΩ・ｃｍ未満、より好ましくは約２，０００ＭΩ・ｃｍ未満、最も好ましくは約５００ＭΩ・ｃｍ未満の固有抵抗を有する。またこの相は、好ましくは、すべての液滴が標準的な光学顕微鏡法によって測定して３００ミクロン未満の大きさを有するような噴霧を可能にする、十分に長い緩和時間を有する。導電性内側相は、好ましくは、約１Ｅ−７〜１秒、より好ましくは約１Ｅ−６〜１Ｅ−２秒、最も好ましくは約１Ｅ−５〜１Ｅ−３秒の緩和時間を有する。導電性内側相は、絶縁性外側相中に分散した液滴または粒子として存在する。
【００６１】
導電性材料は、１つ以上の極性物質を含む。導電性材料は、液体または非液体（例えば、固体粒子）であってよく、また揮発性または非揮発性であってよいが、揮発性の液体材料が好ましい。好適な固体粒子には、金属粉末、金属または他の導電性材料でコーティングされた粒子、帯電種（例えば、ＮａＣｌのような塩、またはパーソナルケア液体組成物において緩衝液中で慣例的に使用される塩）、及び親水性コーティングされたポリマー粒子が挙げられる。好適な液体には、極性溶媒、極性非プロトン性溶媒、グリコール類、ポリオール類、及びこれらの混合物が挙げられる。好ましい導電性材料は、水、アルコール類、グリコール類、ポリオール類、ケトン類、固体粒子、及びこれらの混合物から成る群から選択され、より好ましくはアルコール類、グリコール類、ポリオール類（通常、約１６個以下の炭素原子を含むもの）、及びこれらの混合物から成る群から選択される。より好ましい導電性材料は、プロピレングリコール、ブチレングリコール、ジプロピレングリコール、フェニルエチルアルコール、エタノール、イソプロピルアルコール、グリセリン、１，３−ブタンジオール、１，２−プロパンジオール、イソプレングリコール、アセトン、水、またはこれらの混合物である。特に好ましい導電性材料は、プロピレングリコール、ブチレングリコール、エタノール、グリセリン、水、またはこれらの混合物である。内側相の導電性材料は、より好ましくはプロピレングリコール、エタノール、及びこれらの混合物から選択され、最も好ましくはプロピレングリコールである。
【００６２】
本明細書の液体組成物は、より好ましくは非水性であり、またはごく少量の水、例えば約１０重量％未満、好ましくは約５重量％未満、さらにより好ましくは約１重量％未満の水を含有する。これは、大量の水を含有する液体組成物が、その緩和時間が短く固有抵抗が小さいことが原因で、静電的な手段が使用されるときに、一般に液滴の大きさ及び間隔の点で制御困難な噴霧を創り出すからである。
【００６３】
十分な導電性内側相が存在して、噴霧中に液体組成物が電位を達成できるのであれば、外側相及び内側相の相対濃度を変化させてもよい。液体組成物は、好ましくは、（ｉ）約５〜約７５％、より好ましくは約１５〜約７０％、最も好ましくは約２０〜約６０％の絶縁性外側相と、（ｉｉ）約１５〜約８０％、より好ましくは約２０〜約７５％、最も好ましくは約３０〜約７０％の導電性内側相とを具える。一般に、導電性内側相の濃度が高いほど噴霧適性が向上するので、通常は導電相の濃度を最大限にすることが有利である。好ましい液体組成物では、絶縁性外側相と導電性内側相との重量比（非導電性粒子状材料は無視する）は約０．２：１〜約８：１、より好ましくは約１：１である。
【００６４】
（任意成分）
本明細書の液体組成物は、皮膚に何らかの美容的または機能的効果、例えば、見た目、匂い、若しくは手触り、治療的効果、または予防的効果などをもたらす構成成分をさらに含んでよい。当業者には認識されるように、前述した材料自体がこのような効果をもたらす場合もある。それに加えて、本発明の液体組成物は、局所用液体組成物において慣例的に使用されているような様々な他の成分を含んでよい。
【００６５】
本発明の液体組成物のための構成成分は、好ましくは一般に液体の形態である。存在する補助材料は、いずれも、室温で液体、固体、または半固体であってよいが、液体組成物が静電噴霧可能でなくなることがないように選択されるべきである。静電噴霧性を向上させるには、好ましい液体組成物は、約３５重量％以下の固体含量を有する。この点で、「固体」は、液体組成物に可溶性または混和性でない粒子状材料を指し、これには粒子状顔料及び油吸収材が含まれる。液体組成物の皮膚への付着は、噴霧液滴の大きさ及び間隔並びに皮膚の被覆範囲を含め、製品の噴霧流量、皮膚への製品の適用速度、並びに皮膚に付けられる製品の量に左右される。一般に、液滴の大きさは、固有抵抗が増大するほど、電圧が低下するほど、また流量が増加するほどに増大し、間隔は、電圧が上昇するほど、また付着量が減少するほどに増大し、被覆範囲は、流量が増加するほど、また付着量が増加するほどに増大する。特定の好ましい実施形態では、液滴は、約０．５〜約１５０ミクロンの大きさを有する不連続被膜の形態で適用される。
【００６６】
好ましい実施形態では、液体組成物は、化粧用ファンデーションの形態である。以後、本明細書で使用するとき、用語「ファンデーション」とは、これだけに限定されないが、ローション、クリーム、ジェル、ペーストなどを含む液体または半液体の皮膚用化粧品を指す。通常、ファンデーションは、特定の外観を与えるために、顔面全体のような皮膚の広い領域にわたって使用される。本発明の好ましい化粧用ファンデーションは、被膜形成ポリマー、粒子状顔料、及びこれらの混合物から成る群から選択される１つ以上の成分を含んでよい。
【００６７】
（被膜形成ポリマー）
本発明の液体組成物では、例えば長期付着性及び／または転移耐性を与えるために、被膜形成性または染色性を付与する１つ以上の材料を使用してよい。このような材料は、通常、約０．５％〜約２０％の量で使用される。
【００６８】
このような材料には、被膜形成ポリマー材料が挙げられる。被膜形成ポリマー材料の濃度は、変化させてもよいが、通常は被膜形成ポリマー材料は、約０．５〜約２０重量％（例えば、約１〜約１５％）、好ましくは約０．５〜約１０重量％、より好ましくは約１〜約８重量の濃度で存在する。
【００６９】
被膜形成ポリマー材料は、内側相または外側相に可溶性または分散性であってよいが、好ましい実施形態では、外側相に可溶性または分散性である。好ましいポリマーは、水と石鹸のような洗剤とを併せて使用することで除去可能な、非粘着性被膜を形成する。
【００７０】
好適な被膜形成ポリマー材料の例として、次のものが挙げられる：
ａ）スルホポリエステル樹脂、例えば、ＡＱ２９Ｄ、ＡＱ３５Ｓ、ＡＱ３８Ｄ、ＡＱ３８Ｓ、ＡＱ４８Ｓ、及びＡＱ５５Ｓ（イーストマン・ケミカルズ（Eastman Chemicals）から入手可能）のようなＡＱスルホポリエステル樹脂、
ｂ）ポリビニルアセテート／ポリビニルアルコールポリマー、例えばビネックス（Vinex）２０３４、ビネックス２１４４、及びビネックス２０１９を含む、エア・リキッド・コンポジションズ（Air Liquid compositions）から入手可能なビネックス樹脂、
ｃ）アクリル樹脂、例えばダーマクリル（Dermacryl）ＬＴを含む、ナショナル・スターチ（National Starch）から商品名「ダーマクリル」として入手可能な水分散性アクリル樹脂、
ｄ）ポリビニルピロリドン類（ＰＶＰ）、例えば、ルビスコール（Luviskol）Ｋ１７、Ｋ３０、及びＫ９０（ＢＡＳＦから入手可能）、ＰＶＰの水溶性コポリマー、例えば、ＰＶＰ／ＶＡ  Ｓ−６３０及びＷ−７３５、並びにＰＶＰ／ジメチルアミノエチルメタクリレートコポリマー、例えば、ＩＳＰから入手可能なコポリマー８４５及びコポリマー９３７、並びに、Ｅ．Ｓ．バラバス（Barabas）のポリマー科学技術百科事典（Encyclopedia of Polymer Science and Engineering）、第２版、第１７巻、１９８〜２５７ページに開示されている他のＰＶＰポリマー、
ｅ）高分子量シリコーン類、例えば、ジメチコーン及び有機置換ジメチコーン類、とりわけ約５０，０００ｍＰａｓを超える粘度のもの、
ｆ）約５０，０００ｍＰａｓを超える粘度の高分子量炭化水素ポリマー、
ｇ）オルガノシロキサン類、例えば、オルガノシロキサン樹脂、流体のジオルガノポリシロキサンポリマー及びシリコーンエステルワックス類。
【００７１】
好ましい被膜形成ポリマーには、Ｒ3ＳｉＯ1/2「Ｍ」単位、Ｒ2ＳｉＯ「Ｄ」単位、ＲＳｉＯ3/2「Ｔ」単位、ＳｉＯ2「Ｑ」単位の組み合わせを、ＲnＳｉＯ(4-n)/2なる関係式（ｎは１．０〜１．５０の値、Ｒはメチル基）を満足する相対比で含む、オルガノシロキサン樹脂が含まれる。なお、５％までの少量のシラノールまたはアルコキシ官能性部も、処理の結果として樹脂構造内に存在する場合があることに留意すべきである。オルガノシロキサン樹脂は、約２５℃において固体でなければならず、約１，０００〜約１０，０００グラム／モルの範囲の分子量を有さなければならない。樹脂は、トルエン、キシレン、イソパラフィン類、及びシクロシロキサン類のような有機溶媒または揮発性キャリアに可溶性であり、このことは、樹脂が、揮発性キャリア中で不溶性である程には架橋していないことを示す。特に好ましいのは、反復する一官能性若しくはＲ3ＳｉＯ1/2「Ｍ」単位及び四官能性若しくはＳｉＯ2「Ｑ」単位を含む樹脂、また別に米国特許第５，３３０，７４７号（クシシック（Krzysik）、１９９４年７月１９日発行）（参考として本明細書に組み込む）に開示されている「ＭＱ」樹脂として知られるものである。本発明では、「Ｍ」官能性単位と「Ｑ」官能性単位との比は、好ましくは約０．７であり、ｎの値は１．２である。そのようなオルガノシロキサン樹脂は、ミシガン州エードリアンのワッカー・シリコーンズ社（Wacker Silicones Corporation）から入手可能なワッカー（Wacker）８０３及び８０４、並びにゼネラル・エレクトリック社（General Electric Company）から入手可能なＧ．Ｅ．１１７０−００２のように市販されている。
【００７２】
（粒子状顔料）
本明細書の液体組成物は、１つ以上の粉末材料を具えてもよく、それらは一般に、０．００１〜１５０ミクロン、好ましくは０．０１〜１００ミクロンの粒径を有する乾燥粒子状物質として定義される。粉末材料は、有色または無色（例えば、白色または実質的に透明）であってよく、液体組成物または皮膚に、着色、光の回折、油分の吸収、透光性、乳白化、真珠光沢、マットな外観、滑らかな感触、皮膚の被覆などのような１つ以上の効果をもたらすことができる。これらの材料は、当該技術分野において周知であり、市販されている。所与の液体組成物中の、特定の目的のための所与の粉末材料の種類及び濃度の選択は、当業者の技能の範囲内である。非導電性の粒子状物質の好ましい範囲は、液体組成物全体の約０．１〜約３５％である。本発明のファンデーション組成物は、通常、約２％〜約２０％の着色用の顔料、及び約２％〜約１５％の追加的な非着色性微粒子を含む。
【００７３】
好適な粉末には、液体組成物または皮膚を着色する有機及び無機の様々な顔料が挙げられる。有機顔料には、一般に様々な種類があり、例えば、Ｄ＆Ｃ及びＦＤ＆Ｃ青色、茶色、緑色、橙色、赤色、黄色などと表記される、アゾ、インジゴイド、トリフェニルメタン、アントラキノン、及びキサンチン染料が挙げられる。無機顔料は、一般に、レーキと呼ばれる、認定着色添加物の不溶性の金属塩または酸化鉄である。好適な顔料には、一般に安全であると認識され、本明細書に参考として組み込まれるＣ．Ｔ．Ｆ．Ａ．化粧品成分ハンドブック（Cosmetic Ingredient Handbook）、第１版、ワシントンＤ．Ｃ．（１９８８）に列挙されているものが含まれる。具体例は、赤酸化鉄、黄酸化鉄、黒酸化鉄、茶酸化鉄、群青色、ＦＤ＆Ｃ赤色２号、５号、６号、７号、１０号、１１号、１２号、１３号、３０号、及び３４号；ＦＤ＆Ｃ黄色５号、赤色３号、２１号、２７号、２８号、及び３３号アルミニウムレーキ、黄色５号、６号、及び１０号アルミニウムレーキ、橙色５号アルミニウムレーキ、青色１号アルミニウムレーキ、赤色６号バリウムレーキ、赤色７号カルシウムレーキなどである。
【００７４】
その他の有用な粉末材料には、タルク、雲母、チタン化雲母（二酸化チタンでコーティングされた雲母）、酸化鉄チタン化雲母、炭酸マグネシウム、炭酸カルシウム、珪酸マグネシウム、シリカ（球状シリカ、水和シリカ及びシリカビーズを含む）、二酸化チタン、酸化亜鉛、ナイロン粉末、ポリエチレン粉末、エチレンアクリレートコポリマー粉末、メタクリレート粉末、ポリスチレン粉末、絹粉末、結晶セルロース、スターチ、オキシ塩化ビスマス、グアニン、カオリン、チョーク、珪藻土、マイクロスポンジ、窒化ホウ素などが挙げられる。本明細書で有用な他の粉末は、米国特許第５，５０５，９３７号（カストロジョバンニ（Castrogiovanni）ら、１９９６年４月９日発行）に記載されている。
【００７５】
マット仕上げ剤として有用な構成成分の中では、低光沢性顔料、タルク、ポリエチレン、水和シリカ、カオリン、二酸化チタン、チタン化雲母、及びこれらの混合物が好ましい。
【００７６】
雲母、窒化ホウ素、及びエチレンアクリレートコポリマー（例えば、コボ（Kobo）のＥＡ−２０９）は、光の回折によって視覚的暈し効果を付与し、例えば滑らかな感触を与えることによって肌触りを改善するので好ましい。肌触りを改善するもう１つの粒子状材料は、ＳＰＣＡＴ  Ｉ２（タルク、ポリビニリデンコポリマー、及びイソプロピルチタントリイソステアレートの混合物）である。
【００７７】
油分を吸収する好ましい粉末は、球状で非多孔性の粒子であり、より好ましくは２５ミクロン未満の粒径を有する。油分を吸収する好ましい粉末の例をいくつか挙げれば、コスリン（Coslin）Ｃ−１００（エングルハード（Englehard）から市販されている球状の油吸収剤）、トスパール（Tospearl）（コボ・インダストリーズ（Kobo Industries）から市販されている球状シリカ）、前述したようなエチレンアクリレートコポリマー、及びＳＰＣＡＴ  Ｉ２である。
【００７８】
これらの粉末は、例えば粒子を疎水性または親水性にするために粉末表面にコーティングされる、１つ以上の剤、例えば、レシチン、アミノ酸、鉱油、シリコーン油、または他の様々な剤によって表面処理してよい。このような処理は、配合の容易さ及び安定性を改善するのに好ましい場合がある。疎水処理された粉末は、より容易に外側相に分散するので、本発明の液体組成物において好ましい。外側相がシリコーンを含む場合、好ましい疎水性粉末処理には、参考として本明細書に組み込む米国特許第５，１４３，７２２号に開示されているようなポリシロキサン処理が含まれる。
【００７９】
一般に、導電性内側相及び絶縁性外側相は、皮膚に付着される粉末または皮膚活性物質に対して異なる親和性を有することが好ましい。より好ましくは、このような材料は、内側相中に分散性または可溶性ではない。例えば、好ましい液体組成物は、比較的極性のない顔料と共に、比較的極性及び／または高粘度の導電性流体を含む。理論に束縛または制限されるものではないが、このような不相溶性によって噴霧液滴内に空隙が形成され、それが噴霧液滴内の顔料の塊を小さくする結果となり、次にはそれが、実際に噴霧される液滴の大きさよりも液滴の見た目を小さくする（すなわち、見た目の液滴の大きさが、実際の噴霧液滴の大きさよりも小さくなる）と考えられている。したがって、一般に、顔料が導電性内側相によって濡れるのを最小限に抑えるように、顔料及び導電性材料を選択することが望ましい。
【実施例】
【００８０】
以下の実施例は、本発明の範囲内にある実施形態をさらに記載し、実証するものである。以下の実施例は、単に説明を目的として示されるにすぎず、本発明を制限するものと解釈すべきでなく、本発明の精神及び範囲から逸脱することなく本発明の多くの変形形態が可能である。成分は、適用可能な場合には、化学名またはＣＴＦＡ名称で識別され、不可能な場合には以下で定義される。
【００８１】
（装置の実施例１〜２）
（実施例１）：
図４Ａの構成を有し、次の寸法で作製される静電噴霧装置：ｄ＝８．９８mm、ｄ２＝７．４６mm、ｄ３＝１．５０mm、ｄ４＝２．０５mm。
【００８２】
（実施例２）：
図４Ｃの構成を有し、次の寸法で作製される静電噴霧装置：ｄ＝７．１９mm、ｄ２＝５．６７mm、ｄ３＝３．５６mm、ｄ４＝３．８４mm。
【００８３】
組成物の実施例１〜１０化粧用ファンデーションを、次の調製法に従って次の成分を組み合わせることによって製造する：
【００８４】
【表１】
2005518278.tif 000003
【００８５】
【表２】
2005518278.tif 000004
1クアテルニウム−１８ヘクトライトゲル：エレメンティス・スペシャルティーズ（Elementis Specialties）から入手可能なベントンゲル（Bentone Gel）ＶＳ５−ＰＣ
2ジステアルジモニウムヘクトライトゲル：エレメンティス・スペシャルティーズから入手可能なベントンゲルＶＳ５−ＰＣＶ
3シクロペンタシロキサン及びジメチコーンコポリオール：ダウ・コーニングから入手可能なＤＣ−５２２５Ｃ配合助剤
4セチルジメチコーンコポリマー：ゴールドシュミット（Goldschmidt）から入手可能なエイビル（Abil）ＷＥ−０９
5トリメチルシロキシシリケート：ゼネラル・エレクトリックから入手可能なＭＱ樹脂ＳＲ１０００
6クアテルニウム−９０ベントナイト粘土：ズード・ヘミー（Sud-Chemie）から入手可能なチキソゲル（Tixogel）ＶＰ−Ｖ
7クアテルニウム−１８ヘクトライト粘土：エレメンティス・スペシャルティーズから入手可能なベントン３８
8ポリヒドロキシステアリン酸：ユニケマ（Uniqema）からアーラセル（Arlacel）Ｐ１００として入手可能
9ＰＥＧ−３０ジポリヒドロキシステアレート：ユニケマからアーラセルＰ１３５として入手可能
10シリコーングリコール：ダウ・コーニングからＤＣ−５２００配合助剤として入手可能
11アルミニウムスターチオクテニルスクシネート：ナショナル・スターチ・アンド・ケミカル（National Starch & Chemical）からドライフロー（Dry Flo）（未処理）またはナトラソルブ（Natrasorb）ＨＦＢ（処理済み）として入手可能
【００８６】
（組成物実施例１〜５の調製方法）：
Ａ群の成分を組み合わせ、ホモジナイザー（すなわち、シルバーソン・ミキサー（Silverson Mixer））を用いて２０００〜４０００ｒｐｍで十分に混合する。５０００〜７０００ｒｐｍで混合しながらＢ群の成分を加える。次に、Ｃ群の成分を加え、８０００〜１００００ｒｐｍで混合する。３０分混合後、ヘグマン（Hegman）ゲージまたはスライドガラスを用いて粒径を検査する。サンプルが許容可能な粒径（すなわち、３０ミクロン未満）であれば、Ｄ群の成分を８０００〜１００００ｒｐｍにおいて３０〜４０ｇ／分の速度でゆっくり加える。温度を４０℃以下に維持する。必要ならば手で混合して補助する。添加完了後、さらに５分間混合する。バッチを周囲条件に戻し、適当な容器に注ぎ込む。
【００８７】
（組成物実施例６〜１０の調製方法）：
Ａ群の成分を組み合わせ、ホモジナイザーを用いて２０００〜４０００ｒｐｍで十分に混合する。プロピレンカーボネートを除くＢ群の成分を、添加中は５０００〜７５００ｒｐｍで加える。添加が完了したら、混合速度を８０００〜１００００ｒｐｍに設定し、５分間混合する。温度を２０〜４０℃の範囲に維持する。プロピレンカーボネートを加え、さらに５分間混合する。必要ならばさらに手で混合して補助する。５０００〜７０００ｒｐｍで混合しながらＣ群の成分を加える。Ｄ群の成分を加え、８０００〜１００００ｒｐｍで混合する。３０分混合後、ヘグマンゲージまたはスライドガラスを用いて粒径を検査する。サンプルが許容可能な粒径（すなわち、３０ミクロン未満）を有し、Ｅ群の成分がなければ、バッチを周囲条件に戻して適当な容器に注ぎ込む。Ｅ群の成分があり、サンプルが粒径検査に合格した場合、Ｅ群の成分を８０００〜１００００ｒｐｍにおいて３０〜４０ｇ／分の速度でゆっくり加える。温度を４０℃以下に維持する。必要ならば手で混合して補助する。添加完了後、さらに５分間混合する。バッチを周囲条件に戻し、適当な容器に注ぎ込む。
【００８８】
上記で開示し説明した本発明の静電（electronic）噴霧装置の実施形態には、多くの利点がある。化粧用ファンデーションの実施形態が本発明の静電噴霧装置を用いて顔面に付けられるときには、皮膚に化粧用ファンデーションの微小な液滴が提供され、各液滴は約０．５〜約１５０ミクロンの大きさを有する不連続被膜を形成する。使用中に、ユーザーに知覚可能な量の放電は加わらない。顔面に付けられる化粧用ファンデーションは、自然な外観及び良好な付着性をもたらす。装置の実施例１を用いて組成物の実施例１〜５のうちの１つが噴霧されるときに、特に望ましい噴霧品質が達成される。また、装置の実施例２を用いて組成物の実施例６が噴霧されるときにも、特に望ましい噴霧品質が達成される。
【００８９】
前述した本発明の実施例及び実施形態の詳細な記述は、単に説明のために与えるものにすぎず、本発明の精神及び範囲から逸脱することなく多数の修正及び変更が当業者には明らかになることが理解される。そのような明らかな修正及び変更は、添付の特許請求の範囲に含まれるものとする。
【図面の簡単な説明】
【００９０】
【図１】着脱式カートリッジを有する、本発明の静電噴霧装置の好ましい実施形態の等角分解図。
【図２Ａ】図１の静電噴霧装置の等角分解図の組立図。
【図２Ｂ】外側のハウジングが取り除かれた、図１の静電噴霧装置の等角分解図の組立図。
【図３】本発明の着脱式カートリッジの好ましい実施形態の等角分解図。
【図４Ａ】本発明の静電噴霧装置のノズル通路近傍の好ましい実施形態の断面図。
【図４Ｂ】図４Ａの拡大図。
【図４Ｃ】本発明の静電噴霧装置のノズル通路近傍のもう１つの好ましい実施形態の断面図。
【図５】本発明の静電噴霧装置の好ましい実施形態の電気回路の略図。
【図６Ａ】着脱式カートリッジが挿入されており、ロックスライドがロック解除位置にあるときの、本発明の静電噴霧装置の好ましい実施形態の部分断面図。
【図６Ｂ】図６Ａのロックスライド近傍の拡大図。
【図６Ｃ】図６Ａのロックラッチ近傍の拡大図。
【図７Ａ】着脱式カートリッジが挿入されており、ロックスライドがロックされた位置にあるときの、本発明の静電噴霧装置の好ましい実施形態の部分断面図。
【図７Ｂ】図７Ａのロックスライド近傍の拡大図。
【図７Ｃ】図７Ａのロックラッチ近傍の拡大図。
【図８Ａ】着脱式カートリッジが挿入されており、取り出しボタンが作動されたときの、本発明の静電噴霧装置の好ましい実施形態の部分断面図。
【図８Ｂ】図８Ａのロックスライド近傍の拡大図。
【図８Ｃ】図８Ａのロックラッチ近傍の拡大図。
【図９Ａ】着脱式カートリッジがないときの、本発明の静電噴霧装置の好ましい実施形態の部分断面図。
【図９Ｂ】図９Ａのロックスライド近傍の拡大図。
【図９Ｃ】図９Ａのロックラッチ近傍の拡大図。
【図１】
2005518278.tif 000005
【図２Ａ】
2005518278.tif 000006
【図２Ｂ】
2005518278.tif 000007
【図３】
2005518278.tif 000008
【図４Ａ】
2005518278.tif 000009
【図４Ｂ】
2005518278.tif 000010
【図４Ｃ】
2005518278.tif 000011
【図５】
2005518278.tif 000012
【図６Ａ】
2005518278.tif 000013
【図６Ｂ】
2005518278.tif 000014
【図６Ｃ】
2005518278.tif 000015
【図７Ａ】
2005518278.tif 000016
【図７Ｂ】
2005518278.tif 000017
【図７Ｃ】
2005518278.tif 000018
【図８Ａ】
2005518278.tif 000019
【図８Ｂ】
2005518278.tif 000020
【図８Ｃ】
2005518278.tif 000021
【図９Ａ】
2005518278.tif 000022
【図９Ｂ】
2005518278.tif 000023
【図９Ｃ】
2005518278.tif 000024
【国際調査報告】
2005518278.tif 000025
2005518278.tif 000026